(57)【要約】      （修正有）【課題】イヤホーンあるいはイヤホーンのワイヤを単純な方法で交換できるデバイスを提供する。【解決手段】ワイヤ巻取りデバイスは、ワイヤ巻取りボディ２０の上で、イヤホーンワイヤを巻取り続ける回転方向においてあらかじめテンションがかけられているイヤホーンワイヤ巻取り用回転筒状ワイヤボディ２０を有するワイヤ巻取りユニット５０と、巻き取ったイヤホーンワイヤとあらかじめテンションのかかったワイヤ巻取りボディ２０を有するワイヤ巻取りユニット５０を収納するハウジング１、４５とを具える。イヤホーンあるいはイヤホーンワイヤを簡単に交換するために、ワイヤ巻取りユニット５０は、イヤホーンワイヤがあらかじめテンションのかかったワイヤ巻取りボディ２０と交換可能であるように設計されている。  【選択図】図１
2006238437.tif 000002
【特許請求の範囲】
【請求項１】
イヤホーン、特に移動電話のハンドフリーキット用のワイヤ巻取りデバイスにおいて：
ワイヤ巻取りユニットであって、イヤホーンワイヤを巻き取るために、イヤホーンワイヤが前記巻取りボディ上に巻き取られる回転方向にあらかじめテンションがかけられている回転シリンダ状ワイヤ巻取りボディとを供えるユニットと；
巻き取ったイヤホーンワイヤを有するワイヤ巻取りユニットと、前記あらかじめテンションのかかったワイヤ巻取りボディを収納するハウジングと；を具え、
前記ワイヤ巻取りユニットが前記イヤホーンワイヤがあらかじめテンションのかかった前記ワイヤ巻取りボディを交換可能であるように構成されていることを特徴とするワイヤ巻取りデバイス。
【請求項２】
請求項１に記載のワイヤ巻取りデバイスにおいて、前記ワイヤ巻取りボディが前記イヤホーンワイヤ部分をクランプするワイヤクランピング領域を具え、前記ハウジングと前記ワイヤ巻取りユニットの少なくとも一方が、前記ワイヤ巻取りボディが完全に解放された回転位置にあるときに、前記イヤホーンワイヤが前記ワイヤクランピング領域から取り外すことができ、別のイヤホーンワイヤを前記ワイヤクランプピング領域によってクランプできるように構成されていることを特徴とするワイヤ巻取りデバイス。
【請求項３】
請求項２に記載のワイヤ巻取りデバイスにおいて、前記ワイヤクランピング領域が、前記ワイヤ巻取りボディの周辺サイドウオールと、半径方向において対向し、アーチ形状に曲がった前記ワイヤ巻取りボディの壁で形成されていることを特徴とするワイヤ巻取りデバイス。
【請求項４】
請求項１に記載のワイヤ巻取りデバイスにおいて、前記ハウジングが、前記イヤホーンワイヤ交換のためのワイヤ入口領域またはワイヤ出口領域を露出させ、塞ぐための取り外し可能なカバーあるいは回動可能なハウジング部分を具えることを特徴とするワイヤ巻取りデバイス。
【請求項５】
請求項１に記載のワイヤ巻取りデバイスにおいて、前記ワイヤ巻取りユニットが、前記あらかじめテンションのかかったワイヤ巻取りボディと共に前記ハウジング内に半径方向に移動可能に収納されており、前記ワイヤ巻取りユニットが前記ハウジングに完全に収納されているときに前記イヤホーンの交換が防止されることを特徴とするワイヤ巻取りデバイス。
【請求項６】
請求項５に記載のワイヤ巻取りデバイスにおいて、前記ワイヤ巻取りユニットのワイヤ入口領域とワイヤ出口領域の少なくとも一方が、前記ワイヤ巻取りユニット部分と前記ハウジング部分の一致によって形成されており、イヤホーンワイヤの交換を可能とするあるいは防止することを特徴とするワイヤ巻取りデバイス。
【請求項７】
請求項１に記載のワイヤ巻取りデバイスにおいて、前記ワイヤ巻取りユニットを前記あらかじめテンションのかかっているワイヤ巻取りボディと共に前記ハウジングから完全に取り外して、イヤホーンワイヤの交換ができることを特徴とするワイヤ巻取りデバイス。
【請求項８】
請求項５に記載のワイヤ巻取りデバイスにおいて、前記ハウジングと前記ワイヤ巻取りユニットの少なくとも一方にラッチ機構が設けられており、前記ハウジング内に前記ワイヤ巻取りユニットを着脱自在に固定することを特徴とするワイヤ巻取りデバイス。
【請求項９】
請求項１に記載のワイヤ巻取りデバイスが更に、前記ワイヤ巻取りボディの回転動作を前記ワイヤ巻取りボディの分散した回転位置あるいは任意の回転位置において取り外し可能に係止するロック機構を具えることを特徴とするワイヤ巻取りデバイス。
【請求項１０】
請求項９に記載のワイヤ巻取りデバイスにおいて、前記ロック機構が前記ワイヤ巻取りユニットと前記ハウジングの一致によって形成されることを特徴とするワイヤ巻取りデバイス。
【請求項１１】
請求項９に記載のワイヤ巻取りデバイスにおいて、前記ロック機構が前記ワイヤ巻取りユニット内に完全に形成されていることを特徴とするワイヤ巻取りデバイス。
【請求項１２】
請求項１１に記載のワイヤ巻取りデバイスにおいて、前記ロック機構が、前記ワイヤ巻取りユニットのフロアに設けた半径方向の切り欠きによって、及び、このフロアに対向する前記ワイヤ巻取りユニットの下側に設けた、前記半径方向の切り欠き内に収納したボールを案内するガイド溝によって形成されることを特徴とするワイヤ巻取りデバイス。
【請求項１３】
請求項１２に記載のワイヤ巻取りデバイスにおいて、前記ロック機構がつめ機構によって形成されていることを特徴とするワイヤ巻取りデバイス。
【請求項１４】
請求項１に記載のワイヤ巻取りデバイスにおいて、前記ワイヤ巻取りユニットが、前記ワイヤ巻取りボディにあらかじめテンションをかけるねじりばねであって、前記ばねの一端が前記ワイヤ巻取りユニットのフロアにアクティブに連結されており、他端が前記ワイヤ巻取りボディにアクティブに連結されているねじりばねを具えることを特徴とするワイヤ巻取りデバイス。
【請求項１５】
請求項１４に記載のワイヤ巻取りデバイスにおいて、前記ねじりばねが前記ワイヤ巻取りボディの筒状レセプタクル内に完全に収納されていることを特徴とするワイヤ巻取りデバイス。
【請求項１６】
請求項１に記載のワイヤ巻取りデバイスにおいて、前記ねじりばねが前記ワイヤ巻取りユニットのフロアに設けたピンに軸方向に固定されていることを特徴とするワイヤ巻取りデバイス。
【請求項１７】
請求項１６に記載のワイヤ巻取りデバイスにおいて、前記ねじりばねが熱スタンピングまたは係止エレメントのラッチによって前記ピンに軸方向に固定されていることを特徴とするワイヤ巻取りデバイス。
【請求項１８】
請求項１に記載のワイヤ巻取りデバイスにおいて、コネクタ、イヤホーン、あるいは前記イヤホーンのあるいは前記ハンドフリーキットのマイクロホーンを一時的に収納する保持ホルダを具えることを特徴とするワイヤ巻取りデバイス。
【請求項１９】
請求項１に記載のワイヤ巻取りデバイスにおいて、前記ハウジングの外側周辺ウオールがカーブしたドーム形状、あるはフード形状に形成されており、ドームあるいはフード形状のカーブした外側周辺を有するイヤホーンを収納する環状ワイヤレセプタクルが、前記ワイヤ巻取りボディの周辺サイドウオールと前記ハウジングの前記外側周辺ウオールの間に形成されていることを特徴とするワイヤ巻取りデバイス。
【発明の詳細な説明】
【技術分野】
【０００１】
発明の属する技術分野
本発明は、特に移動電話用ハンドフリーキット用イヤホーンのワイヤ巻取デバイスに関する。
【背景技術】
【０００２】
発明の背景
移動電話用のハンドフリーキットは、通常、一又は二のイヤホーンと、移動電話とマイクロホンの接続用コネクタ付きのワイヤと、ワイヤに設けられたクリップを具える。同等のイヤホーンを、例えば、移動ステレオカセットレコーダ、移動ＣＤプレーヤ、移動ＭＰ３プレーヤ、などの一連のその他の電気器具に入手することができ、耳に挿入する一又はそれ以上のイヤーピースを具えている。このようなイヤホーンは、例えば、歩きながら、走りながら、車を運転しながら、あるいは仕事をしながらといった、電気器具のモバイル使用を可能とする。これらのすべての用途のために、ワイヤは適宜の長さが必要であり、しばしばもつれることがある。
【０００３】
ワイヤのもつれを防ぐために、ドイツ国実用新案第ＤＥ２９６２１７１７Ｕ１は、ハンドフリーキットのワイヤ用のワイヤ巻取りデバイスを開示している。このデバイスは、ハウジングと、当該ハウジング内に設けたワイヤ巻取りユニットを具えており、このユニットは、ワイヤ巻取り用の回動可能な筒状ワイヤ巻取り本体を具える。このワイヤ巻取り本体は、ねじりばねあるいは渦巻きばねによって、回転方向にあらかじめテンションがかけられており、ワイヤ巻取り本体にワイヤが更に巻きつくようになっている。このワイヤは永久的にワイヤ巻取りデバイスに取り付けられているので、タイプの異なるハンドフリーキットには、別のワイヤ巻取りデバイスを製造し、ストックして、販売しなければならない。このことは、製造コストと販売コストを不必要に上げることになる。また、同じワイヤ巻取りデバイスを、移動電話と移動データ再生装置といった、別の電気器具に使用することが不可能である。
【０００４】
更に、特定のアプリケーション用に特別に設計されたワイヤ巻取りデバイスが、以下のドイツ国発明あるいは実用新案出願に開示されている。
【特許文献１】ＤＥ２０  ２００４  ０１１  ０１０  Ｕ１
【特許文献２】ＤＥ２０  ２００４  ０１４  ２０２  Ｕ１
【特許文献３】ＤＥ２００４  ００５  ８３３  Ｕ１
【特許文献４】ＤＥ２９８  １３  ０７９  Ｕ１
【特許文献５】ＤＥ２０２  ０５  １２１  Ｕ１
【特許文献６】ＤＥ２０１  ２０  ２１５  Ｕ１
【特許文献７】ＤＥ２０１  １９  ８６０  Ｕ１
【特許文献８】ＤＥ１９８  ４７  １４３  Ａ１
【０００５】
更に、固定アプリケーションに適したワイヤ巻取りデバイスが、以下の米国発明に開示されている。これらのワイヤ巻取りデバイスは、タイプの異なるイヤホーンでのジョイント使用には適していない。
【特許文献９】ＵＳＰ５，４８９，０１０
【特許文献１０】ＵＳＰ５，５４４，８３６
【特許文献１１】ＵＳＰ５，７２３，８１５
【特許文献１２】ＵＳＰ６，５７８，６８３Ｂ１
【特許文献１３】ＵＳＰ６，６２３，２９４Ｂ２
【特許文献１４】ＵＳＰ６，６２６，３８９Ｂ２
【０００６】
ドイツ国実用新案第ＤＥ２０  ２００４  ００１  ６０４  Ｕ１号には、多機能ワイヤのリワインダが開示されている。異なる技術的機能をもつワイヤリワインダを設計するために、ハウジングの下側部分を、例えばＵＳＢポート、カードリーダ、ソケット、冷却ファン、無線送信機など、いろいろな技術的機能を実現する機能エレメントと組み合わせることができる。このワイヤリワインダは、イヤホーンや、ユーザがすでに購買した移動電話のハンドフリーキットには好適でない。
【０００７】
米国発明第６，８０３，５２５Ｂ１号は、ワイヤ巻取りデバイスを開示している。筒状のハウジング内に、ワイヤ巻取りユニットが、上側および下側の巻取りフランジの付いた筒状ワイヤ巻取りボディに設けられている。一端がワイヤ巻取り本体にアクティブに取り付けられており、他端がそのハウジングにアクティブに取り付けられているねじりばねが設けられており、ワイヤ巻取り本体にあらかじめテンションがかけられている。ワイヤ巻取りデバイスを組み立てるには、まずワイヤを好適に巻き取らなくてはならず、次にワイヤ巻取り本体にあらかじめテンションをかけているねじりばねを好適にホックで止める必要がある。続けてワイヤを交換するといった考えはなく、これはねじりばねのホックが外れない限り不可能である。したがって、ワイヤ巻取りデバイスは、このワイヤの容易な交換、すなわち、別のイヤホーンに使えるようにするには好適ではない。
【０００８】
発明の概要
本発明の目的は、イヤホーン用、特に移動電話のハンドフリーキット用のワイヤ巻取りデバイスを提供することであり、イヤホーンあるいはイヤホーンのワイヤを単純な方法で交換できるデバイスを提供することである。
【０００９】
本発明では、ワイヤ巻取りデバイスが提供されており、このデバイスでは、ワイヤ巻取りユニットがイヤホーンワイヤがあらかじめテンションのかかったあるいはバイアスされたワイヤ巻取りボディと交換できるように構成されている。したがって、一つの同じワイヤ巻取りデバイスをタイプの異なるイヤホーンに使用することができる。この場合、交換は、ワイヤ巻取りユニットを分解して交換後再度組み立てることなく、及び／又は、ワイヤ巻取りボディにあらかじめテンションをかける（バイアスする）ねじりばねのホックをはずすことなく、および、このばねをワイヤを交換した後ホックをかけて戻す必要なく、ユーザ自身で行うことができる。したがって、本発明のワイヤ巻取りデバイスは、イヤホーン自体の独立したアクセサリとして購入販売することができ、イヤホーンワイヤの交換あるいは挿入をユーザ自身で行うことができる。
【００１０】
好適には、ワイヤ巻取りボディは、イヤホーンワイヤをクランプするワイヤクランプ領域を具える。このクランプ領域は、ワイヤ巻取りボディの外周にあるクランピングエレメントで、あるいはより好適には、ワイヤ巻取りボディの軸方向に突出した壁でできたチャネルタイプのワイヤガイダンスによって形成することができる。好適には、ハウジング及び／又はワイヤ巻取りユニットは、ワイヤ巻取りボディの巻きが完全に戻った回転位置において、上述のクランピング領域からイヤホーンワイヤを取り外すことができ、別のイヤホーンワイヤを挿入して再度それでクランプすることができるように構成されている。したがって、イヤホーンワイヤを解きほぐす必要がない。新たなイヤホーンワイヤを本質的に引き伸ばした形でクランピング領域に挿入して、クランプすることができる。
【００１１】
イヤホーンワイヤの交換に好適な状態で、ワイヤクランプ領域にアクセスすることができるように、取り外し可能なカバーをハウジングに設け、及び／又は、調整可能なヒンジ、あるいは回動可能なハウジング部分を設けて、イヤホーンワイヤを交換するためにワイヤ巻取りデバイスのワイヤ入口領域とワイヤ出口領域を露出させ、交換後にそれを再び隠してワイヤが取れてしまったり、うっかりはずれ落ちたりしないようにする。
【００１２】
更なる実施例によれば、あらかじめテンションをかけたワイヤ巻取りボディを有するワイヤ巻取りユニットは、ハウジングに収納されており、半径方向において交換可能であり、ワイヤ巻取りユニットが完全にハウジング内に収納されるとイヤホーンワイヤの交換をできなくなるように構成されている。例えば、入ってくるワイヤの周辺を囲むワイヤ入口領域及び／又はワイヤ出口領域がワイヤ巻取りユニット部分とハウジング部分を一致させることによって形成されるこの機能は、ワイヤ巻取りユニットとハウジングのエレメントを好適に設計することによって実現される。
【００１３】
更に、好ましい実施例によれば、あらかじめテンションをかけたワイヤ巻取りボディを有するワイヤ巻取りユニットは、ハウジングから完全に取り出すことができる。このことによって、取り外したワイヤ巻取りユニットのワイヤの交換が可能になる。ハウジング部分によってワイヤの交換が妨げられないのは利点である。
【００１４】
この点に関して、ハウジング及び／又はワイヤ巻取りユニットに、ハウジング内にワイヤ巻取りユニットを着脱自在に固定するラッチ機構を設けることが好ましい。このようなラッチ機構は、ラッチエレメントを一致させることによって、あるいは着脱自在の係止機構によって形成することができる。更なる実施例では、上述した固定機能をクリップエレメントで、好ましくは、ハウジング及び／又はワイヤ巻取りユニット部分の弾性変形のもと、行うことができる。
【００１５】
更なる実施例によれば、ワイヤ巻取りボディの回転運動を係止する係止エレメントが着脱自在に設けられている。このエレメントは、ワイヤ巻取りボディから離れた位置に、あるいはワイヤ巻取りボディの任意の回転位置に設けられている。従って、例えば、本発明のワイヤ巻取りデバイスの使用中に、あるいはワイヤの交換中に、特に上述したワイヤクランプ領域内にワイヤを高い信頼性を持って入れるために、ワイヤがうっかり巻き戻されることを高い信頼性を持って防止することができる。
【００１６】
この場合、例えば、移動可能な係止つめをハウジングに設け、この係止つめと一致するラッチ歯付ホイールをワイヤ巻取りボディに設ける、といった方法でワイヤ巻取りユニット付ハウジングを一致させることによって、前記係止機構を形成することができる。
【００１７】
更なる実施例によれば、この係止機構は、完全にワイヤ巻取りユニットの中に形成されている。このことは、あらかじめテンションをかけた、あるいはバイアスしたワイヤ巻取りボディを有するワイヤ巻取りユニットを完全に取り外すことが容易になる。この場合、係止機構は、取り外した状態にあるワイヤ巻取りユニットを有していてもワイヤ巻取りボディを好適に係止する。
【００１８】
独立請求項の形で記載することもできる更なる実施例によれば、ワイヤ巻取りユニットは、ワイヤ巻取りボディにあらかじめテンションをかけるためのねじりばねを具え、このばねは一端がワイヤ巻取りユニットのフロアにアクティブに連結されており、他端がワイヤ巻取りボディにアクティブに連結されている。従って、ワイヤ巻取りユニット全体を、ねじりばねのホックをはずすことなくハウジングから取り出すことができる。これによって、取り外した状態においてワイヤの交換が簡単になる。
【００１９】
同じエレメントあるいはエレメント群、あるいは本質的に同じ機能を有するエレメントあるいはエレメント群では同じ引用番号が付されている。
【００２０】
好適な実施例の詳細な説明
図１によれば、ワイヤ巻取りデバイスはハウジング１を具えており、このハウジング内に符号５０が付されたワイヤ巻取りユニットが取り外し可能に収納されている。ハウジング１の上端の周辺エッジは、ピン１７に乗せることができるカバー４５で覆われていて、ハウジング１の周辺サイドウオールが完全に閉じて、ワイヤ（図示せず）がワイヤ巻取りユニット５０内外に進むように構成されている。
【００２１】
図１によれば、ワイヤ巻取りユニット５０は、符号１０が付されており、上に軸ピン１１が設けられているベースを具え、この上にワイヤ巻取りシリンダ２０が回動可能に支持されている。シリンダ２０の側壁２１とアーチ型にカーブした壁２４が、ねじりばね３０が収納される筒状レセプタクルを形成している。ねじりばね３０の端部３１は、シリンダ２０のベースに突出しているピン１１のスロット１２内に引っ掛けられており、ラグ３２内へ折れ曲がっているねじりばね３０の他端はシリンダ２０の軸方向の切り欠き２３に引っかけられている。筒状レセプタクルを完全に閉じるために、またポジティブフィットを実現するために、ばねの蓋３５の前側エッジ３８が、シリンダ２０のアーチ型に曲がった領域２４の輪郭に合致している。ばねの蓋３５は、ピン１１の前側自由端に対応する形状をした内側ホール４１を有する係止ワッシャ４０を受けている。係止ワッシャ４０をピン１１の前側自由端の上に配置することによって、ねじりばね３０を収納したシリンダ２０が軸方向に、好ましくは、ほとんど遊びのない状態で固定される。この軸方向の係止は、ばねの蓋３５をピン１１に箔転写（hot stamping）することによって実現することができる。上述したように構成した結果、ワイヤ巻取りユニット５０は、以下に述べるとおり、シリンダ２０にあらかじめテンションをかけた状態でユニットとしてハウジング１内に押し込んで、再び取り出すことができる。
【００２２】
図１によれば、シリンダ２０のアーク形状にカーブしたサイドウオール２４と周辺サイドウオール２５が、ワイヤクランプ領域あるいはワイヤガイドデバイスを形成している。ワイヤを挿入あるいは交換するためには、シリンダは回転位置に置かれる。この位置では、上述したワイヤガイドデバイス２６の前側および後側端部がベース１０の前側又は後側ワイヤ入口領域１５又は１９と整列するか、そのレベルにある。この回転位置は、以下に述べるように、あらかじめテンションがかけられているねじりばね３０を用いた係止機構で固定することができる。図１によれば、前側及び後側ワイヤ入口領域１５、１９はそれぞれ、ワイヤ巻取りユニット５０がハウジング１から取り外されるときに、そのトップが開く。ワイヤをワイヤ巻取りユニット５０に入れるために、このトップから上述したシリンダ２０の回転位置にワイヤを導入し、ワイヤ案内デバイスまたはワイヤクランプ領域２６に挿入することができる。この回転位置では、ワイヤ巻取りシリンダ２０はねじりばね３０によって回転方向にあらかじめテンションがかかった状態が続き、ワイヤが更に巻き取られる。係止機構を開放した後は、ワイヤは自動的にシリンダ２０の周辺サイドウオール２１に巻きつく。この場合、ワイヤがワイヤ入口領域１５、１９の上に飛び出さないように注意を払う必要がある。このことは、ワイヤ巻取りユニット５０がハウジング１内にまだ押し込まれていないので、ベース１０の前側および後側の入口チーク１４、１８のそれぞれに指をそえることによって実現する。しかしながら、好ましい実施例によれば、ワイヤ巻取りユニット５０は、ワイヤの交換後まずハウジング１に押し込まれ、次いで係止機構を開放することによってワイヤが自動的に巻き上げられる。図１に示すように、前側及び後側ワイヤ入口領域１５、１９は、ワイヤ巻取りユニット５０が完全にハウジング１内に押し入れられると、サイドカバー６とハウジングのトップサイド２によってトップ位置で固定される。完全な挿入位置では、ワイヤ巻取りユニット５０をさらに固定するために、サイドカバー６が前側ワイヤ入口チーク１４内に形成されたタンジェンシャルスロット１６に係合されている。この結果、ワイヤ巻取りユニット５０がハウジング１に収納されている場合は、ワイヤを交換することはできない。
【００２３】
シリンダ２０の回転移動をブロックするために、ベース１０のフロアに設けられている半径方向の切り込み１３と、シリンダ２０の下側に設けた迷路状ボールガイド２８の中にボール７を設けるようにした。このボールガイドは、従来技術から公知の方法で形成されている（例えば、米国発明第６，８０３，５２５Ｂ１号）。この場合、ワイヤの巻取り時あるいは解放時に、ボールが円形ガイド２８の内側円形通路上で回転するが、回転シリンダ２０のストッピング上のボールは最終的にボールガイド２８のラディアル外側レセプタクル内へはいり、シリンダ２０のさらなる回転移動をブロックする。ワイヤをそっと引っ張ることによって、ボールは再び解放され、シリンダ２０が自在に回転することができるボールガイド２８の内側円形パス内へ移動する。この方法で実現される係止機構は、ボールガイド２８によってあらかじめ決められている前記シリンダの分散した回転位置において、あらかじめテンションがかけられている(バイアスされている)シリンダ２０の回転移動をブロックする。この場合、係止機構は、完全にワイヤ巻取りユニット５０内に形成されている。すなわち、前記ユニットのエレメントによって完全に形成されており、ワイヤ巻取りユニット５０がハウジング１から取り外されるときに、上述した方法でワイヤの交換を可能とする。
【００２４】
もちろん、このような係止機構は、別の方法で設計することもできる。例えば、米国発明第６，８０３，５２５Ｂ１号に開示されているラッチ機構やつめ機構、ドイツ国実用新案ＤＥ２０  ２００４  ０１１  ０１０  Ｕ１号、又はＤＥ２０  ２００４  ０１４  ２０２  Ｕ１号に開示されているシリンダに形成した円形ガイドで往復移動するタン(舌)形状の係止エレメント、ドイツ国実用新案ＤＥ２９８  １３  ０７９  Ｕ１号に開示されているガイドリング構造である。
【００２５】
図１に示すように、ハウジングフロア３にはベース１０の下側に設けた対応する溝９に合致して(図３参照)突起５が形成されており、ハウジング１内にワイヤ巻取りユニット５０を脱着自在に固定するラッチ機構を形成する。もちろん、ワイヤ巻取りユニット５０は、その他のポジティブフィットあるいはプレス嵌めなどの方法でハウジング１に収納することもできる。
【００２６】
図１乃至３ｃに示すように、ワイヤ巻取りシリンダ２０の径は、ベース１０の径より小さい。従って、ベース１０のフロアは、ワイヤ巻取りユニット５０がハウジング１に収納されているときに、ハウジング１のドーム状あるいはフード状に曲がった外側周辺エッジによって閉じたフランジ状構造を形成している。この状態で、シリンダ２０の周辺サイドウオール２１とハウジング１のドーム状あるいはフード状に曲がった外側周辺エッジとの間に環状ギャップができる。このギャップは、理想的には、その形状によって、ワイヤがねじりたり、もつれたりすることなくシリンダ２０の上に巻かれたワイヤを固定的に好適に収納するものである。
【００２７】
上記記載から明らかなとおり、ワイヤ巻取りユニットはイヤホーンの交換のためにハウジングから取り外される。ついで、ワイヤ巻取りボディのワイヤクランピング領域に容易にアクセスできるので、実質的に完全にワイヤが解放した後にイヤホーンのワイヤをこの領域から取り外して、別のイヤホーンワイヤに取り替えることができる。完全に解放された状態では、ワイヤ巻取りボディは、係止機構によって係止されており、うっかり巻き戻されないようになっている。
【００２８】
本発明の第２実施例を図４ないし８を参照して説明する。図４によれば、ハウジングは、大きなハウジングシェル６０と、小さなハウジングシェル６５を具え、各々が前側ワイヤ入口チーク１４の上側ピンと下側ピン１４０の上に回動可能に支持されている。回して開いたときに、前側ワイヤ入口領域１５と後側ワイヤ入口領域１９が一方に露出して、他方にはワイヤ巻取りユニットがイヤホーンワイヤが実質的に完全に解放された状態で露出して、ワイヤクランピング領域２６内のワイヤが解放され、取り外されて、別のイヤホーンワイヤのクランピングと交換される。図４に示すように、二つのウイング状の広がった部分１１０がシャフト１１の上側端部に形成されており、シャフト１１に形成されている縦方向のスロットによって、互いの方向に弾性的に移動可能である。上側サイドに形成された挿入用面取りによって支持されているセクション１１０を互いに押し付けることによって、ばねの蓋３５とロッキングワッシャ４０を取り付けるときに、セクション１１０をばねの蓋３５のホール３６とロッキングワッシャ４０のホール４１内へ挿入することができる。ロッキングワッシャ４０が完全に位置決めされたら、セクション１１０を離して戻し、この方法でワイヤ巻取りシリンダ２０とねじりばね３０をシャフト１１の上に軸方向に固定する。挿入したワイヤをより効果的に案内するために、フランジ２９がワイヤ巻取りシリンダ２０のフロア上に形成されている。このフランジの幅は、半径方向において完全に巻き取られた状態のワイヤコイルの厚さにほぼ対応する。
【００２９】
図５ａによれば、小さいハウジングシェル６５の上には、ホール６７を設けた二つのタブ６６、あるいは切り欠きが形成されており、前側ワイヤ入口チーク１４（図４参照)の上のピン１４０に引っ掛けられて、ベース１０上のハウジングシェル６５を回動可能に支持している。その反対側に対向する端部には、弾性スナップホック６８がハウジングシェル６５の上に形成されており、このホックは、ハウジングシェルが閉じるときに大きいハウジングシェル６０上に設けたラッチ切り欠き６２(図７参照)に合致して、二つのハウジングシェル６０、６５を互いに係合させ、ハウジングを閉じた状態に保持する。図５ｂを参照すると、大きいハウジングシェル６０の上に二つのホール６１あるいは切り欠きが設けられており、前側ワイヤ入口チーク１４(図４参照)上のピン１４０によって係止して、ベース１０上でハウジングシェル６０を回動可能に支持している。
【００３０】
図６は、本発明の第２実施例に係るワイヤ巻取りユニット５０の斜視図である。ばねの蓋、ばね、およびワイヤ巻取りシリンダ２０をロッキングワッシャ４０によって軸方向における固定を行うことができる。ワイヤクランピング領域２６はユニット５０の上側サイドから自在にアクセス可能である。
【００３１】
図７に示すように、前側ワイヤ入口領域、後側ワイヤ入口領域１９、およびワイヤクランピング領域２６は、二つのハウジングシェル６０、６５から離れるように摺動させた後、上側から自在にアクセス可能である。イヤホーンワイヤ(図示せず)を完全に解放した後、ワイヤクランピング領域２６から取り外し可能であり、別のイヤホーンワイヤと交換可能である。ワイヤを解放した後、ワイヤ巻取りシリンダ２０を上述した係止機構、あるいは公知技術からあきらかな係止機構によって係止させて、ワイヤ巻取りシリンダ２０がうっかり再度巻き取られることを防止する。係止機構は、例えば、イヤホーンワイヤ上で巻取りを解除する方向に引っ張る動作によって、あるいは従来技術で知られているその他の手段によって解除することができる。
【００３２】
図９は、二つのワイヤ入口領域１５、１９と、ワイヤクランピング領域２６を、ワイヤ巻取りユニットを挿入して示す図である。
【００３３】
図８は、第２の実施例に係る、ハウジングシェル６０、６５を閉じて、イヤホーンワイヤを挿入した状態のワイヤ巻取りデバイスを示す。この状態では、二つのシェルハウジングは、完全に閉じており、ワイヤ５１はワイヤ入口チーク１４と１８によって高い信頼性をもって案内される。（図４参照）
【００３４】
上述の記載を読んだ当業者には明らかであるように、本発明のワイヤ巻取りデバイスのエレメントは、好適なプラスチックを射出成型により精密かつ安価に形成することができる。シリンダハウジング１の外径は、収納するワイヤの長さに依存し、移動電話のハンドフリーキットを巻き取る本発明に係る好ましい使用には、４ないし６ｃｍの範囲になる。完全に巻き取った状態では、イヤーピースとイヤホーンのコネクタのみがハウジングから突出し、移動電話のハンドフリーキットを巻き取るのに使用する場合は、保持クリップつきのマイクロホンも突出することになる。ここに示していない更なる実施例によれば、これらのエレメントを一時的に収納するあるいは固定するための保持エレメントあるいは保持ホルダをハウジングに設けて、これらのエレメントが制御できない態様でハウジングの外へ垂れ下がらないようにする。
【図面の簡単な説明】
【００３５】
本発明は、以下の例と添付図面を参照にして説明する。これらの例と図面から、更なる特徴、利点、および解決するべき目的が明らかになる。
【図１】図１は、本発明の第１実施例に係るワイヤ巻取りデバイスの分解斜視図である。
【図２ａ】図２ａは、図１に示すワイヤ巻取りデバイスの平面図である。
【図２ｂ】図２ｂは、図１に示すワイヤ巻取りデバイスの斜視図である。
【図２ｃ】図２ｃは、図１に示すワイヤ巻取りデバイスの底面図である。
【図２ｄ】図２ｄは、図１に示すワイヤ巻取りデバイスの側面図である。
【図３ａ】図３ａは、図１に示すワイヤ巻取りデバイスの平面図である。
【図３ｂ】図３ｂは、図１に示すワイヤ巻取りデバイスの底面図である。
【図３ｃ】図３ｃは、図１に示すワイヤ巻取りデバイスの斜視図である。
【図４】図４は、本発明の第２実施例に係るワイヤ巻取りデバイスの分解斜視図である。
【図５ａ】図５ａは、図４に示す二つのハウジングシェルの斜視図である。
【図５ｂ】図５ｂは、図４に示す二つのハウジングシェルの斜視図である。
【図６】図６は、支持フレームとワイヤリールを伴うワイヤ巻取り機構の斜視図である。
【図７】図７は、全開したハウジングシェルを伴う図４に示すワイヤ巻取りデバイスを示す図である。
【図８】図８は、小さいハウジングシェルを取った図４に示すワイヤ巻取りデバイスの斜視平面図である。
【図９】図９は、ハウジングシェルを伴い、イヤホーンのワイヤを挿入した、図４に示すワイヤ巻取りデバイスの斜視平面図である。
【図１】
2006238437.tif 000003
【図２ａ】
2006238437.tif 000004
【図２ｂ】
2006238437.tif 000005
【図２ｃ】
2006238437.tif 000006
【図２ｄ】
2006238437.tif 000007
【図３ａ】
2006238437.tif 000008
【図３ｂ】
2006238437.tif 000009
【図３ｃ】
2006238437.tif 000010
【図４】
2006238437.tif 000011
【図５ａ】
2006238437.tif 000012
【図５ｂ】
2006238437.tif 000013
【図６】
2006238437.tif 000014
【図７】
2006238437.tif 000015
【図８】
2006238437.tif 000016
【図９】
2006238437.tif 000017